(57)【要約】 【課題】喫飲時に流出口を塞ぐ開閉蓋が自然開口する飲料容器の蓋体を提供する。【解決手段】容器本体Ｃの上方開口部０３に着脱自在に装着され、口当て部１５を兼ねる周壁部１と上方開口部を塞ぐ蓋板部２とを備え、蓋板部２における口当て部１５側に流出口２１を設けると共に、流出口の反対側方向の位置に設けた軸部３２で枢支して流出口を煽り回動で開閉する蓋部３１を備えた開閉蓋３を設けると共に、開閉蓋３の枢支軸線の直下位置に重錘部３４を付設して、装着した容器本体が水平位置で流出口を塞ぎ、傾斜時に開口する重量バランスとし、且つ開閉蓋３を周壁部１の上縁より突出させないストッパー（延設部３３）を設けてなる。【選択図】図３
2018095282.tif 000002
【特許請求の範囲】
【請求項１】
容器本体の上方開口部に着脱自在に装着され、口当て部を兼ねる周壁部と前記上方開口部を塞ぐ蓋板部とを備え、蓋板部における口当て部側に流出口を設けると共に、流出口の反対側方向位置で枢支して流出口を煽り回動で開閉する蓋部を備えた開閉蓋を設けると共に、開閉蓋の枢支軸線の直下位置に重垂部を付設して、装着した容器本体が水平位置で流出口を塞ぎ、傾斜時に開口する重量バランスとし、且つ蓋部を周壁部上縁より突出させないストッパーを設けてなることを特徴とする飲料容器の蓋体。
【請求項２】
周壁部における口当て部を外周方向に張り出して設けてなる請求項１記載の飲料容器の蓋体。
【請求項３】
ストッパーを、開閉蓋の枢支軸線の背後に蓋部を延設して形成した請求項１又は２記載の飲料容器の蓋体。
【請求項４】
開閉蓋の枢支箇所を周壁部の内壁面下方とした請求項１乃至３記載の何れかの飲料容器の蓋体。
【請求項５】
重錘部を、開閉蓋に着脱可能とした密封カバー内に所望の重錘を収納して構成した請求項１乃至４記載の何れかの飲料容器の蓋体。
【発明の詳細な説明】
【技術分野】
【０００１】
本発明は、飲料を収納してそのまま喫飲に供する飲料容器において、容器本体の上方開口部に装着する蓋体に関するものである。
【背景技術】
【０００２】
飲料容器の容器本体の開口部に装着する蓋体には、開口部を塞ぐ蓋板部に流出口を備えると共に前記流出口を開閉する開閉蓋を備え、蓋体を取り外すことなく喫飲を可能としたものが知られている。
【０００３】
例えば特許文献１（特開２００８−２６０５４４号公報）には、蓋板部の周囲に周壁を設けると共に周壁近傍の一端側に流出口を設け、蓋板部の中心線よりも流出口の反対側にまで張り出した半円形の開閉蓋を備え、前記開閉蓋の側端に軸部を設け、周壁に設けた軸穴に前記軸部を装着して開閉蓋の開閉を行う蓋体が開示されている。
【０００４】
前記蓋体には、開閉蓋の閉塞時及び開放時の係止構造として、閉塞時及び開放時における軸近傍箇所において、周壁内周面壁面と開閉蓋端面に設けた凹凸部の段差越え移動によって係止する構成が開示されている。
【０００５】
また特許文献２（特開２０１３−２５２２２０号公報）には、開閉蓋が流出口を閉口する蓋板部と蓋板部両側に突設した支持腕を備え、前記蓋部が蓋板部の中心まで達しない大きさで、支持腕端部を周壁部内周面に、開閉蓋が回動自在となるように枢支すると共に、枢支箇所に支持腕の中心方向への弾性で係脱し、全閉時及び全開時に係止する適宜な係止部を設けている。
【０００６】
またポット等の飲料保存容器の流出口に開閉蓋が自然に開口する構造を採用することも知られている。
【０００７】
例えば特許文献３（実公昭４３−２４４３２号公報）には、水差口を開閉する小蓋体が、その基端が枢支されると共に重垂を下設して装着され、ポット本体の傾きによって小蓋体が水平を維持することで開口する構造が開示されている。
【先行技術文献】
【特許文献】
【０００８】
【特許文献１】特開２００８−２６０５４４号公報。
【特許文献２】特開２０１３−２５２２２０号公報。
【特許文献３】実公昭４３−２４４３２号公報。
【発明の概要】
【発明が解決しようとする課題】
【０００９】
特許文献１，２記載の開閉蓋つきの飲料容器は、喫飲時に開閉蓋の開閉操作を行う必要があり面倒であると共に、開閉蓋の各開閉時に開閉蓋が当該位置を保持するための係止構造が必要であり、製造上の面倒さもある。更に喫飲時に開口した開閉蓋の裏面に付着している水滴が滴下して顔面（鼻や口の近傍）に当たり不快となる場合もある。
【００１０】
特許文献３記載の自然開閉蓋構造をそのまま飲料容器（喫飲容器）に採用したとしても、水差し口が口当て部となり喫飲に適さず、また容器本体（ポット本体）の傾斜と開閉蓋の開閉角度の連動に制限が無いと、喫飲時に開閉蓋が邪魔になってしまうという問題もある。
【００１１】
そこで本発明は、自然開閉蓋構造を喫飲容器（飲料容器）に適する構造として適用した飲料容器の蓋体を提案したものである。
【課題を解決するための手段】
【００１２】
本発明の請求項１記載に係る飲料容器の蓋体は、容器本体の上方開口部に着脱自在に装着され、口当て部を兼ねる周壁部と前記上方開口部を塞ぐ蓋板部とを備え、蓋板部における口当て部側に流出口を設けると共に、流出口の反対側方向位置で枢支して流出口を煽り回動で開閉する蓋部を備えた開閉蓋を設けると共に、開閉蓋の枢支軸線の直下位置に重垂部を付設して、装着した容器本体が水平位置で流出口を塞ぎ、傾斜時に開口する重量バランスとし、且つ開閉蓋を周壁部上縁より突出させないストッパーを設けてなることを特徴とするものである。
【００１３】
而して容器本体内に飲料を満たし、蓋体を装着した状態で喫飲のために口当て部（周壁部）に唇を当てて容器本体を傾けると、開閉蓋が重量バランスを取れる位置（略水平位置）を保持するので、流出口が開口して飲料が流れ出ることになり、喫飲可能となる。而も前記開閉蓋はストッパーによって、容器本体の傾斜角度を大きくしても、周壁部の囲繞範囲外に突出することが無いので、開閉蓋が喫飲の邪魔にならない。
【００１４】
また本発明の請求項２記載に係る飲料容器の蓋体は、周壁部における口当て部を外周方向に張り出して設けてなるもので、喫飲時に唇と開閉蓋との間を相応に隔てることになり、開閉蓋が喫飲の邪魔にならない。
【００１５】
また本発明の請求項３記載に係る飲料容器の蓋体は、ストッパーを、開閉蓋の枢支軸線の背後に蓋部を延設して形成したもので、前記延設部（ストッパー）が蓋板部に衝突するのでストッパー機能を奏することになる。
【００１６】
また本発明の請求項４記載に係る飲料容器の蓋体は、開閉蓋の枢支箇所を周壁部の内壁面下方としたもので、開閉蓋の組み込み構造が簡易になる。
【００１７】
また本発明の請求項５記載に係る飲料容器の蓋体は、重錘部を、開閉蓋に着脱可能とした密封カバー内に所望の重錘を収納して構成したもので、重錘の重量調整が容易にできる。
【発明の効果】
【００１８】
本発明の構成は上記のとおりで、喫飲時に流出口を自然開口する開閉蓋を備えることで、非喫飲時に流出口を塞ぐ衛生的な飲料容器の蓋体を簡易な構造で提供できると共に、従前の開閉蓋を備えた飲料容器における開閉蓋の裏面に付着する水滴が喫飲時に顔面に滴下するという問題も解消したものである。
【図面の簡単な説明】
【００１９】
【図１】本発明の使用態様の全体斜視図。
【図２】同分解図。
【図３】同断面図。
【図４】同蓋体の断面図。
【図５】同喫飲状態の説明図。
【発明を実施するための形態】
【００２０】
次に本発明の実施形態について説明する。本発明に係る蓋体Ａは、把手体Ｂを装着した容器本体Ｃに装着するものである。
【００２１】
容器本体Ｃは、所謂マグカップと称される金属製の内容器部０１と外容器部０２で構成され、開口縁を密封して形成した真空二重容器であって、上方開口部０３の外周面を、径小周壁０４を形成すると共に、前記径小周壁０４に螺条０５を設けたものである。
【００２２】
把手体Ｂは、リング部０６と、リング部０６から一体に垂設形成された把手部０７とで構成され、リング部０６の内周面に前記螺条０５と螺合する螺凹条０８を設け、容器本体Ｃの径小周壁０４に螺合装着するものである。
【００２３】
本発明の蓋体Ａは、容器本体Ｃの上方開口部０３に着脱自在に装着する周壁部１と、上方開口部０３を塞ぐ蓋板部２及び開閉蓋３とで構成される。
【００２４】
周壁部１は、把手体Ｂのリング部０６を押圧する外壁部１１と、上方開口部０３に圧入装着される内壁部１２を備え、内壁部１２の下方外周にはパッキン１３が装着されている。
またパッキン１３の下方にはパッキン１３の離脱を防止す押さえリング１４を内壁部１２に溶着してなる。
【００２５】
また前記周壁部１における下記の流出口２１を設けた位置に対応する箇所は、外周方向に張り出させて口当て部１５としたものである。
【００２６】
蓋板部２は、内壁部１２の下方に開口部０３を塞ぐように設けたもので、且つ一方側に適宜大きさの流出口２１を設けてなる。
【００２７】
開閉蓋３は、流出口２１を塞ぐ蓋部３１を備え、前記蓋部３１を回動可能に蓋部３１の後縁近傍（流出口２１の形成側を前方とする）に軸部３２を設けて、内壁部１２に枢支してなり、更に蓋部３１が回動した際に、蓋部３１の先端が周壁部１からはみ出さない適宜な開口角度に達すると、蓋板部２に衝突する角度で蓋部３１を延設してストッパー（延設部３３）を設けてなる。
【００２８】
更に蓋部３１の枢支軸線の直下位置に重垂部３４を設けたもので、前記重錘部３４は、適宜な構造を採用して蓋部３１の裏面に着脱可能とした密封カバー３４１と、前記密封カバー３４１内に収納される重錘３４２で構成される。
【００２９】
而して前記飲料容器の蓋体Ａは、把手体Ｂを装着した容器本体Ｃに飲料を満たした後、把手部０７の位置が流出口２１の横方となるように開口部０３に圧入装着して使用に供するものである。
【００３０】
特に本発明の開閉蓋３全体は、重錘部３４による重量バランスによって、容器水平時（非喫飲時）には、蓋部３１が流出口２１の周縁を軽く抑え（蓋部３１が衝突状態）、容器が傾斜した際には、開閉蓋３がバランスの取れた位置に移動することになって流出口２１を開口する。更に容器の傾斜角が所定以上に大きくなると、延設部３３が蓋板部２と衝突して開閉蓋３の回動が阻止される。
【００３１】
従って容器本体Ｃ内に飲料を満たした状態で、容器を水平に位置させておくと（非喫飲時）、流出口２１が蓋部３１で塞がれ衛生的に維持される。そして喫飲時に容器を傾けると流出口２１が開口して飲料が流れ出ることになり、喫飲可能となる。
【００３２】
特に開閉蓋３は延設部（ストッパー）によって、回動角度（蓋部３１の開口角度）が抑えられ周壁部１の囲繞範囲外に突出することが無いので、開閉蓋が喫飲の邪魔にならないし、蓋部３１の裏面に付着している水滴も流出口２１内に滴下することになる。
【符号の説明】
【００３３】
Ａ      蓋体
Ｂ      把手体
Ｃ      容器本体
１      周壁部
１１    外壁部
１２    内壁部
１３    パッキン
１４    押さえリング
１５    口当て部
２      蓋板部
２１    流出口
３      開閉蓋
３１    蓋部
３２    軸部
３３    延設部（ストッパー）
３４    重錘部
３４１    密封カバー
３４２    重錘
【図１】
2018095282.tif 000003
【図２】
2018095282.tif 000004
【図３】
2018095282.tif 000005
【図４】
2018095282.tif 000006
【図５】
2018095282.tif 000007